(57)【要約】      （修正有）【課題】殆んど燃料等の必要としない大容量発電のため、大容量排水を可能とする方法を提供する。【解決手段】貯留水槽内の排水を順次外海に放出する為に海上部分に設置された「主翼回転扇」の回転活動を利用し、同時に海中海上部分での各室負圧の活用を行ない乍ら、その排水に段々と回転遠心力の作用と海上方面部分への負圧活用に依る吸引吸圧作用の併用を行ないながら、その貯留水槽内の排水を次々と継続して外海へと放出させる。【選択図】図２
2014031155.tif 000002
【特許請求の範囲】
【請求項１】
次々と流入して来る大量の排水を次の通り外海へと排出する。
まず侵入して来た１気圧排水は既に回転稼動が行なわれている「排水吸圧巻上げ処理主力筒塔」内の「吸圧巻上げ処理筒」内えの本排水槽内水位部分迄は同水位侵入が行なわれる事となる。
そしてその同水位侵入排水に対しては、当然上方排出出口方向と同方向に「主翼回転扇」の回転稼動が行なわれているものであり、自然の摂理通りの働きが加わると同時にその「吸圧巻上げ処理筒」内の回転筒半径が上方に進むにつれて大きくなる設置がされている事に依り、当然上方に進むに従いより強い回転遠心力の発生となり、段々と排水は上昇する事となる。
当然その上昇回転力だけでは到底継続された排水は無理であるが、海上船中部分に設置された各室負圧力の活躍と、船底部分に設置がされた「天然海水取込口」よりの海水が、常時「排水処理負圧調整第二内室」内に必要量が供給されると同時に「第二内室負圧調整壁」装置の上下稼動と「排水巻上げ負圧接続装置」の調整稼動を行ない、「負圧活用装着装置」近辺での空気の進入等が殆んど起き得ない様にすれば、「吸圧巻上げ処理筒」内の噴出排出力が減少した時でも充分に回転扇内の「回転排出筒」内の吸圧放出回転稼動力に依る充分な継続排水となり、吸引放出「吸圧巻上げ処理筒」内の次々と押し出されて来る排水の継続となり、そしてその吸圧放出数値とは継続排出には一番大切な数値であり、「排水処理負圧調整第二内室」近辺内での海水注入操作を確実に行なえば、「吸圧巻上げ処理筒」内に次々と侵入して来る排水は、水道の蛇口より常時水が飛び出すが如く、次々と強力な「主翼回転扇」の回転稼動に依る排水巻き上げ力と、強力な負圧の上方方面えの吸引吸圧力と、「吸圧巻上げ処理筒」内えの継続された排水の流入等々に依り、そして常時「天然海水噴出調整装置」よりの海水の調整噴出に依る、負圧活動、「回転排水筒」内での真空引圧力の継続等が行なわれる事に依る、大量の排水が次々と外海えと排水が行なわれる排水装置設備。
【発明の詳細な説明】
【技術分野】
【０００１】  本発明は扇形回転扇の回転による排水槽内の排水を巻き上げると同時に船内海上部分に常時負圧の発生空間を創出し、双方の併合活用を現出し、常時継続排水を行なうものである。【０００２】  本発明は海中発電の最大の問題である大量の排水処理が海上周辺設置の諸装置に依り自然の働きの活用併用に依り継続された排水が大きな負荷等も全く無い状態で継続される事となる。【０００３】  以上の通り図１〜図３にて説明する。【０００４】  海上喫水線部分よりの発電済排水が本排水槽内に次々と流入し、その時に入口部分に設置がされた数台の発電装置がその流入排水を利用した発電も同時に行なわれる事となる。
そしてその大量の排水を船外排出さす為に、上部「主翼回転扇」に連結接続された「排水吸圧巻上げ処理主力筒塔」内の「吸圧巻上げ処理筒」の回転が行なわれる事となり、まず「排水巻き上げ負圧接続装置」が降下をし、「負圧活用装着装置」との接合が行なわれると、より上部の負圧の影響が即座に「排水吸圧巻き上げ処理主力筒塔」内の「吸圧巻上げ処理筒」内の排水に大きく影響が及ぶ事となる。
そして自然界で竜巻が起きるが如く、又低気圧圏内では上昇気流が生じるもので、その竜巻が海水を空中に巻き上げるが如き現象が、本船負圧装置内に発生し、その吸圧力をもって、「吸圧巻上げ処理筒」内の遠心力との併用活用に依る排水が、「回転排出筒」内部分に次々と侵入して来る事となる。
そして図１の通り「主翼回転扇」内の「回転排出筒」に流入した排水は途中経路に於いて殆んど空気等の侵入が無い為に回転排水は継続される事となり次々と大量の排水処理が行なわれる事となる。【０００５】
【特許文献】特にありません
【発明の概要】
【発明が解決しようとする課題】  海上喫水線周辺よりの各種発電済排水が勾配のある排水管より海中部分に設置がされた排水貯留水槽内に流入されると同時にその入口部分に発電装置を設置をし、大量の排水に依る降下落差エネルギー等の同時活用をした発電を行なう事とすれば、普通の海水の回転だけの発電となり、その排水処理方法が発見出来れば、技術的に難しい処等は全く無く、その排出方法が解決すれば、海中での大容量発電が大きく前進する事となる。
【課題を解決するための手段】  その海中部分に設置された貯留水槽内の気圧は、当然海上部分と全く同じ１気圧であり、水圧も殆んど無いに等しいものであり、貯留水槽内の排水を順次外海に放出さす為に海上部分に設置がされた「主翼回転扇」の回転活動を利用し、同時に海中海上部分での各室負圧の活用を行ない乍ら、その排水に段々と回転遠心力の作用と海上方面部分えの負圧活用に依る吸引吸圧作用の併用を行ないながら、その貯留水槽内の排水を次々と継続して外海へと排出放出さす方法の各装置設置となる。
【発明の効果】  本発明による海上周辺各排出装置の設置で大容量排水が可能となり、海中に対する恐怖心等が後退する事となる。
そして海上面部分に設置がされる「主翼回転扇」の強力な浮力を活用した回転力稼動威力に誰もが驚く事となる。
そして始めて浮力を活用した回転エネルギーの現出の可能性が再認識される事となり、世界中の海、湖、河口等々で次々と設置発電と排水が行なわれる事となる。
同じ形と重量の回転扇を陸上で回す時に必要なエネルギーと海上で回す時のエネルギー負荷力を計測してもその差の大きさに誰もが驚く事となる。
そして貯留水槽内の大容量排水は常時「呼び水水位」の確保と主翼回転扇稼動の両方の働きが継続される限り人間がストローを使ってジュースを飲む自然現象と全く同じ方法での継続排水となる。
【図面の簡単な説明】
【図１】船内「主翼回転扇」と負圧各室施設の各々設置図と常時「呼び水」「誘い水」等が必要な為に活用出来る海水として海底部分より直接海水取込筒の「天然海水取込口」を設置をし、「排水巻き上げ負圧接続装置」「負圧活用装着装置」の接続図と「排水吸圧巻上げ処理主力筒塔」等に依る排水内空間部分の解消に依る負圧と遠心力併用活用に依る排出装置の全体図である。
【図２】周辺設置の海上喫水線部分に設置された各種発電設備よりの排水図であり、海中部分の貯留槽とその排水の為の回転扇、負圧装置等の全体図である。
【図３】海中排水槽内への送入電気発生装置図と排水活動を円滑に行なう為の貯留水槽内の排水流入図であり、又排水槽主力部分えの排水を落ちつかせる為の排水路図である。
【発明を実施するための形態】
〔図１〕次々と搬入されて来る貯留水槽内の排水は、回転稼動がされている「排水吸圧巻上げ処理主力筒塔」内の「吸圧巻上げ処理筒」内に水深分だけの侵入が行なわれる事となる。
同時に本「吸圧巻上げ処理筒」内に於いてはすでに上方からの強力な回転吸圧力の発生に依る吸引力と主翼回転扇の高速回転の為に排出装置である「回転排出筒」内の大くの部分で常に真空状態が現出し、その排水が次々と外海部分に放出される毎に回転扇中心部分よりの噴出排水が次々と「回転排出筒」内に吸い込まれる形にて継続された排水が行なわれる事となる。
〔図２〕図中の通り水深は殆んど無く、基本的には、排水貯留水槽内の大量の排水を回転扇部分で竜巻の如く巻き上げてその時に海水面を負圧の活用利用を行ない、同時に「水中ポンプ」の如く常に呼び水を欠かさない様に回転稼動に依る排水設備の全体図である。
〔図３〕大容量発電を目指す為に海上喫水線周辺よりの排水とその排水を再び活用利用しての発電装置の設置図である。
【図１】
2014031155.tif 000003
【図２】
2014031155.tif 000004
【図３】
2014031155.tif 000005